(57)【要約】【課題】  移動通信システム全体の性能の向上を図るホームエージェントおよび移動通信システムを実現することにある。【解決手段】  本発明は、移動端末のホームアドレスを送信先として送信した通信パケットを受信し、フォーリンネットワークに接続されている移動端末に通信パケットを転送するホームエージェントに改良を加えたものである。本装置は、内部資源を計測し、この計測結果に基づいて、自ホームエージェントを介さずに送信元の端末と通信を行なうように移動端末に要求することを特徴とするものである。【選択図】                    図１
2006254254.tif 000002
【特許請求の範囲】
【請求項１】
移動端末のホームアドレスを送信先として送信した通信パケットを受信し、フォーリンネットワークに接続されている前記移動端末に通信パケットを転送するホームエージェントにおいて、
内部資源を計測し、この計測結果に基づいて、自ホームエージェントを介さずに送信元の端末と通信を行なうように前記移動端末に要求することを特徴とするホームエージェント。
【請求項２】
移動端末のホームアドレスを送信先として送信した通信パケットを受信し、フォーリンネットワークに接続されている前記移動端末に通信パケットを転送するホームエージェントにおいて、
ネットワークの経路コストに基づいて、自ホームエージェントを介さずに送信元の端末と通信を行なうように前記移動端末に要求することを特徴とするホームエージェント。
【請求項３】
移動端末のホームアドレスを送信先として送信した通信パケットを受信し、フォーリンネットワークに接続されている前記移動端末に通信パケットを転送するホームエージェントにおいて、
内部資源を計測した計測結果またはネットワークの経路コストの少なくとも一方に基づいて、自ホームエージェントを介さずに送信元の端末と通信を行なうように前記移動端末に要求することを特徴とするホームエージェント。
【請求項４】
ホームエージェントは、
内部資源を計測する計測手段と
この計測手段の計測結果から新たな転送の可否を判断する判断手段と、
この判断手段の判断結果によって、自ホームエージェントを介さずに送信元の端末と通信を行なうように前記移動端末に要求する要求手段と
を有することを特徴とする請求項１または３記載のホームエージェント。
【請求項５】
ホームエージェントは、
経路コストを取得する経路コスト取得手段と、
この経路コスト取得手段の経路コストから経路の切り替えを判断する判断手段と、
この判断手段の判断結果によって、自ホームエージェントを介さずに送信元の端末と通信を行なうように前記移動端末に要求する要求手段と
を有することを特徴とする請求項２または３記載のホームエージェント。
【請求項６】
移動端末のホームアドレスを送信先として送信した通信パケットを受信し、フォーリンネットワークに接続されている前記移動端末に通信パケットを転送するホームエージェントを有する移動通信システムにおいて、
請求項１、３、４のいずれかに記載のホームエージェントと、
このホームエージェントの要求手段からの要求を受信することにより、前記ホームエージェントを介さずに前記送信元の端末と通信を行なう移動端末と
を設けたことを特徴とする移動通信システム。
【請求項７】
移動端末のホームアドレスを送信先として送信した通信パケットを受信し、フォーリンネットワークに接続されている前記移動端末に通信パケットを転送するホームエージェントを有する移動通信システムにおいて、
請求項２、３、５のいずれかに記載のホームエージェントと、
経路管理情報を有するメモリと、
このメモリの経路管理情報から経路コストを算出する経路コスト算出手段と、
前記ホームエージェントの要求手段からの要求を受信することにより、前記ホームエージェントを介さずに前記送信元の端末と通信を行なう移動端末と
を設けたことを特徴とする移動通信システム。
【請求項８】
移動端末は、
前記ホームエージェントの要求手段からの要求を受信する要求受信手段と、
この要求受信手段からの指示により、前記ホームエージェントを介さない通信経路を選択し、選択した経路で前記送信元の端末と通信を行なう経路最適化手段と
を有することを特徴とする請求項６または７記載の移動通信システム。
【発明の詳細な説明】
【技術分野】
【０００１】
本発明は、移動端末のホームアドレスを送信先として送信した通信パケットを受信し、フォーリンネットワークに接続されている移動端末に通信パケットを転送するホームエージェントおよびこのホームエージェントを用いた移動通信システムに関し、詳しくは、移動通信システム全体の性能の向上を図るホームエージェントおよび移動通信システムに関するものである。
【背景技術】
【０００２】
図３は、従来の移動通信システムの構成を示した図である（例えば、特許文献１、特許文献２参照）。図３において、移動端末（モバイルノードとも呼ばれる。ＭＮ：Mobile Node）１０（１）〜１０（３）は、携帯して持ち運ぶことができ、移動端末１０（１）〜１０（３）の移動にともなって接続するサブネットワークが変わる。また、移動端末１０（１）〜１０（３）は、通信プロトコルのＭＩＰｖ６（Mobile Internet Protocol version 6）に対応し、いわゆるモバイルＩＰにおけるモバイルノード機能を有する。そして、移動端末１０（１）〜１０（３）は、通信経路の最適化を行なう経路最適化手段Ｒｔ１を有する。
【０００３】
通信相手端末（対応ノードとも呼ばれる。ＣＮ：Correspondent Node）２０（１）〜２０（３）は、経路最適化手段Ｒｔ２を有し、移動端末１０（１）〜１０（３）と通信を行なう端末である。経路最適化手段Ｒｔ２は、移動端末１０（１）〜１０（３）の経路最適化手段Ｒｔ１からの要求によって、通信経路の最適化を行なう
【０００４】
ホームネットワーク（Home Network）ＨＮは、移動端末１０（１）〜１０（３）がもともと接続されるサブネットワークである。フォーリンネットワーク（Foreign Network）ＦＮ１〜ＦＮ３は、ホームネットワークＨＮから移動してきた移動端末１０（１）〜１０（３）が実際につながっているサブネットワークである。
【０００５】
図３中、移動端末１０（１）は、フォーリンネットワークＦＮ１に接続され、移動端末１０（２）は、フォーリンネットワークＦＮ２に接続され、移動端末１０（３）は、フォーリンネットワークＦＮ３に接続される一例を示している。なお、ホームネットワークＨＮ、フォーリンネットワークＦＮ１〜ＦＮ３には、移動端末１０（１）〜１０（３）以外にも、他の端末、ルータ、サーバ等の様々なノードが存在するが、図示を省略している。
【０００６】
ホームエージェント（ＨＡ：Home Agent）３０は、中継手段３１、内部資源３２を有し、ホームネットワークＨＮにあるノード上で動作する。また、ホームエージェント３０は、ＭＩＰｖ６に対応し、ＭＩＰｖ６で提供される機能を用いて複数の端末１０（１）〜１０（３）、２０（１）〜２０（３）間の通信を制御、中継する。
【０００７】
中継手段３１は、移動端末１０（１）〜１０（３）がフォーリンネットワークＦＮ１〜ＦＮ３にいるとき、通信相手端末２０（１）〜２０（３）から移動端末１０（１）〜１０（３）への通信パケットを受信し、移動端末１０（１）〜１０（３）に転送する。また逆に、移動端末１０（１）〜１０（３）から通信相手端末２０（１）〜２０（３）への通信パケットを受信し、移動端末１０（１）〜１０（３）に転送する。内部資源３２は、中継手段３１やホームエージェント３０がデータ処理用、演算用、データ格納用等に用いるレジスタやメモリ等である。
【０００８】
バックボーン網１００は、例えば、ＩＰネットワークやインターネット等であり、ネットワークＨＮ、ＦＮ１〜ＦＮ３、端末２０（１）〜２０（３）が接続される。
【０００９】
なお、移動端末１０（１）〜１０（３）は、ホームアドレス（Home Address）と気付けアドレス（Care of Address）が割り当てられる。ホームアドレスとは、サブネットワークに依存せず移動端末１０（１）〜１０（３）に一意に割り当てられるアドレスであり、ホームネットワークＨＮと同じネットワークアドレスである。気付けアドレスとは、フォーリンネットワークＦＮ１〜ＦＮ３で割り当てられるアドレスである。
【００１０】
そして、ホームエージェント３０は、移動端末１０（１）〜１０（３）それぞれのホームアドレスと気付けアドレスとを関連付けてメモリ（図示せず）に記憶している。これにより、中継手段３１が、メモリに記憶しているアドレスの対応関係から、受信したパケットを転送する。
【００１１】
また、通信相手端末２０（１）〜２０（３）は、移動端末１０（１）〜１０（３）のホームアドレスのみが予めメモリ（図示せず）に記憶される。
【００１２】
このようなシステムの動作を図４、図５を用いて説明する。
通信相手端末２０（１）と移動端末１０（１）とが通信を行ない、通信相手端末２０（２）と移動端末１０（２）とが通信を行ない、通信相手端末２０（３）と移動端末１０（３）とが通信を行なう動作例を説明する。
【００１３】
通信相手端末２０（１）が、移動端末１０（１）との通信開始に当たって、まず始めに、通信相手端末２０（１）が、移動端末１０（１）のホームアドレスを送信先としてパケットを送信する。すなわち、ホームエージェント３０に向かって通信パケットを送信する。そして、ホームエージェント３０の中継手段３１が通信パケットを受信し、移動端末１０（１）に通信パケットを転送する（図４中のＬ１）。なお、中継手段３１が中継処理を行なうため、ホームエージェント３０の内部資源３２が使用される。
【００１４】
次に、通信相手端末２０（２）が、移動端末１０（２）との通信開始に当たって、通信相手端末２０（２）が、まず始めにホームエージェント３０に向かって通信パケットを送信する。ホームエージェント３０の中継手段３１が、移動端末１０（２）に通信パケットを転送する（図４中のＬ２）。なお、中継手段３１が中継処理を行なうため、ホームエージェント３０の内部資源３２がさらに使用され、新たな中継処理を行なうには資源が不足する。
【００１５】
そして次に、通信相手端末２０（３）が、移動端末１０（３）との通信開始に当たって、通信相手端末２０（３）が、まず始めにホームエージェント３０に向かって通信パケットを送信する。しかし、ホームエージェント３０の内部資源３２が不足してるため、中継手段３１が、転送処理を行なえず、通信パケットを受信できない（図４中のＬ３）。
【００１６】
一方、通信相手端末２０（１）、２０（２）との通信が開始されると、移動端末１０（１）、１０（２）の経路最適化手段Ｒｔ１が、通信相手端末２０（１）、２０（２）の経路最適化手段Ｒｔ２に対して、ホームエージェントＨＡを介さない通信経路を使用するように要求を行なう。なお、ホームエージェントＨＡを介さない通信経路で通信することを経路の最適化と呼ぶ。
【００１７】
そして、通信相手端末２０（１）、２０（２）に気付けアドレスを送信し、経路最適化手段Ｒｔ１、Ｒｔ２が互いに協調して相互に認証等を行ない、ホームエージェントＨＡを介さない通信経路を選択し、選択した経路で端末１０（１）、１０（２）、２０（１）、２０（２）同士が直接通信を行なう（図５中のＬ４，Ｌ５）。これにより、中継手段３１が、通信パケットの中継処理を行なう必要が無くなり、内部資源３２を開放する。
【００１８】
さらに、通信相手端末２０（３）が、移動端末１０（３）との通信を新たに開始に当たって、通信相手端末２０（３）が、まず始めにホームエージェント３０に向かって通信パケットを送信する。今回は、内部資源３２に余裕があるので、ホームエージェント３０の中継手段３１が、移動端末１０（３）に通信パケットを転送する（図５中のＬ６）。
【００１９】
【特許文献１】特許第３４９６６４１号
【特許文献２】特許第３６０１４６４号
【発明の開示】
【発明が解決しようとする課題】
【００２０】
このように、ホームエージェント３０の中継手段３１によって端末１０（１）〜１０（３）、２０（１）〜２０（３）同士が一旦通信を開始すれば、端末１０（１）〜１０（３）、２０（１）〜２０（３）の経路最適化手段Ｒｔ１、Ｒｔ２が、ホームエージェント３０を介さない経路に切り替えるので、ホームエージェント３０の内部資源３２が回復する。
【００２１】
しかしながら、移動端末１０（１）〜１０（３）の経路最適化手段Ｒｔ１が、通信相手端末２０（１）〜２０（３）の経路最適化手段Ｒｔ２に対して、経路の最適化を要求するか否かは、自端末１０（１）〜１０（３）の状態やバックボーン網１００等の状況から独自に判断し、ホームエージェント３０の内部資源３２の状態には影響されない。そのため、ホームエージェント３０の内部資源３２が不足し、中継手段３１が、新たな中継処理を行なうことができないという状態が生じる。これにより、移動通信システム全体の性能が低下し、通信効率が低下するという問題があった。
【００２２】
そこで本発明の目的は、移動通信システム全体の性能の向上を図るホームエージェントおよび移動通信システムを実現することにある。
【課題を解決するための手段】
【００２３】
請求項１記載の発明は、
移動端末のホームアドレスを送信先として送信した通信パケットを受信し、フォーリンネットワークに接続されている前記移動端末に通信パケットを転送するホームエージェントにおいて、
内部資源を計測し、この計測結果に基づいて、自ホームエージェントを介さずに送信元の端末と通信を行なうように前記移動端末に要求することを特徴とするものである。
請求項２記載の発明は、
移動端末のホームアドレスを送信先として送信した通信パケットを受信し、フォーリンネットワークに接続されている前記移動端末に通信パケットを転送するホームエージェントにおいて、
ネットワークの経路コストに基づいて、自ホームエージェントを介さずに送信元の端末と通信を行なうように前記移動端末に要求することを特徴とするものである。
請求項３記載の発明は、
移動端末のホームアドレスを送信先として送信した通信パケットを受信し、フォーリンネットワークに接続されている前記移動端末に通信パケットを転送するホームエージェントにおいて、
内部資源を計測した計測結果またはネットワークの経路コストの少なくとも一方に基づいて、自ホームエージェントを介さずに送信元の端末と通信を行なうように前記移動端末に要求することを特徴とするものである。
【００２４】
請求項４記載の発明は、請求項１または３記載の発明において、
ホームエージェントは、
内部資源を計測する計測手段と
この計測手段の計測結果から新たな転送の可否を判断する判断手段と、
この判断手段の判断結果によって、自ホームエージェントを介さずに送信元の端末と通信を行なうように前記移動端末に要求する要求手段と
を有することを特徴とするものである。
請求項５記載の発明は、請求項２またが３記載の発明において、
ホームエージェントは、
経路コストを取得する経路コスト取得手段と、
この経路コスト取得手段の経路コストから経路の切り替えを判断する判断手段と、
この判断手段の判断結果によって、自ホームエージェントを介さずに送信元の端末と通信を行なうように前記移動端末に要求する要求手段と
を有することを特徴とするものである。
【００２５】
請求項６記載の発明は、
移動端末のホームアドレスを送信先として送信した通信パケットを受信し、フォーリンネットワークに接続されている前記移動端末に通信パケットを転送するホームエージェントを有する移動通信システムにおいて、
請求項１、３、４のいずれかに記載のホームエージェントと、
このホームエージェントの要求手段からの要求を受信することにより、前記ホームエージェントを介さずに前記送信元の端末と通信を行なう移動端末と
を設けたことを特徴とするものである。
請求項７記載の発明は、
移動端末のホームアドレスを送信先として送信した通信パケットを受信し、フォーリンネットワークに接続されている前記移動端末に通信パケットを転送するホームエージェントを有する移動通信システムにおいて、
請求項２、３、５のいずれかに記載のホームエージェントと、
経路管理情報を有するメモリと、
このメモリの経路管理情報から経路コストを算出する経路コスト算出手段と、
前記ホームエージェントの要求手段からの要求を受信することにより、前記ホームエージェントを介さずに前記送信元の端末と通信を行なう移動端末と
を設けたことを特徴とするものである。
【００２６】
請求項８記載の発明は、請求項６または７記載の発明において、
移動端末は、
前記ホームエージェントの要求手段からの要求を受信する要求受信手段と、
この要求受信手段からの指示により、前記ホームエージェントを介さない通信経路を選択し、選択した経路で前記送信元の端末と通信を行なう経路最適化手段と
を有することを特徴とするものである。
【発明の効果】
【００２７】
本発明によれば、以下のような効果がある。
請求項１、３、４、６、８によれば、ホームエージェントの内部資源を計測し、この計測結果に基づいて、自ホームエージェントを介さずに送信元の端末と通信を行なうことを移動端末に要求するので、ホームエージェントの内部資源の資源不足によって、送信元の端末からの新たな通信開始の要求がうけられないという状態を回避することができる。従って、新たな通信開始要求に対して、待ち時間が生じる状態を減少することができ、移動通信システム全体の性能の向上が図れ、通信効率が上昇する。
【００２８】
請求項２、３、５、７、８によれば、ネットワークの経路コストに基づいて、自ホームエージェントを介さずに送信元の端末と通信を行なうことを移動端末に要求するので、移動端末と送信元の端末間とを中継する必要が無くなり、中継に使用されていた経路の経路コストが削減される。また、経路の混雑によって、送信元の端末からの新たな通信開始の要求がうけられないという状態を回避することができる。従って、新たな通信開始要求に対して、待ち時間が生じる状態を減少することができ、移動通信システム全体の性能の向上が図れ、通信効率が上昇する。
【発明を実施するための最良の形態】
【００２９】
以下図面を用いて本発明の実施の形態を説明する。
［第１の実施例］
図１は、本発明の第１の実施例を示した構成図である。ここで、図３と同一のものには同一符号を付し、説明を省略する。図１において、ホームエージェント３０に、計測手段３３、判断手段３４、要求手段３５のそれぞれが新たに設けられる。
【００３０】
計測手段３３は、内部資源３２の資源量を計測する。判断手段３４は、計測手段３３の計測結果が入力される。要求手段３５は、判断手段３４の判断結果が入力され、自ホームエージェント３０を介さずに通信相手端末と通信を行なうことを移動端末１０（１）〜１０（３）に要求する。
【００３１】
また、移動端末１０（１）〜１０（３）それぞれに、要求受信手段１１が新たに設けられ、ホームエージェント３０の要求手段３５からの要求に従って、経路最適化手段Ｒｔ１
に経路の最適化を行なわせる。
【００３２】
このようなシステムの動作を説明する。
計測手段３３が、内部資源３２の資源量を計測する。なお、内部資源３２は、中継手段３１だけでなく、移動端末１０（１）〜１０（３）からの気付けアドレスの通知の受信等のその他の処理によっても消費される。
【００３３】
そして、判断手段３４が、計測手段３３の計測結果から、中継手段３１が中継処理を行なうのに十分な資源量が残っているかを判断する。すなわち、中継手段３１が、通信相手端末２０（１）〜２０（３）からの新たな通信開始の要求を受け入れ、通信パケットの転送処理を行なえるか否かを判断する。
【００３４】
さらに、要求手段３５が、判断手段３４の判断結果によって、中継手段３１を用いて通信を行なっている移動端末１０（１）〜１０（３）に経路の最適化を要求する。もちろん、資源量が不足していると判断した場合に経路の最適化を要求する。そして、不足していないと判断した場合は、経路の最適化を要求しない。
【００３５】
ホームネットワークＨＡからの要求は、バックボーン網１００を介してフォーリンネットワークＦＮ１〜ＦＮ３内の移動端末１０（１）〜１０（３）が受信し、受信した要求に従って、要求受信手段１１が経路最適化手段Ｒｔ１に経路の最適化を指示する。すなわち、経路最適化手段Ｒｔ１が、通信相手端末２０（１）〜２０（３）の経路最適化手段Ｒｔ２に対して、経路の最適化を要求し、経路最適化手段Ｒｔ１、Ｒｔ２が互いに協調して相互に認証等を行ない、ホームエージェントＨＡを介さない通信経路を選択し、選択した経路で端末１０（１）〜１０（３）、２０（１）〜２０（３）同士が直接通信を行なう。これにより、ホームエージェント３０の内部資源３２が解放される。なお、上記の動作以外は、図３に示すシステムと同様なので説明を省略する。
【００３６】
このように、ホームエージェント３０の内部資源の資源量を計測手段３３が計測し、資源量の消費が所定量を超えると、要求手段３５が、移動端末１０（１）〜１０（３）に経路の最適化を要求する。これにより、ホームエージェント３０の内部資源３２の資源不足によって、通信相手端末２０（１）〜２０（３）からの新たな通信開始の要求がうけられないという状態を回避することができる。従って、新たな通信開始要求に対して、待ち時間が生じる状態を減少することができ、移動通信システム全体の性能の向上が図れ、通信効率が上昇する。
【００３７】
［第２の実施例］
図２は、本発明の第２の実施例を示した構成図である。ここで、図１と同一のものには同一符号を付し、説明を省略すると共に、フォーリンネットワークＦＮ２、ＦＮ３、通信相手端末２０（２）、２０（３）の図示を省略する。図２において、ホームネットワークＨＮ内に、ホームエージェント３０と接続されるルータ４０が新たに設けられる。ルータ４０は、メモリ４１、算出手段４２を有し、ネットワークＨＮ，ＦＮ１〜ＦＮ３，１００内のどの経路を通して通信パケットを転送すべきかを判断する。メモリ４１は、経路管理情報記憶手段で有り、ルーティングテーブルを有し、経路管理情報（経由するルータの数（ホップ数）、回線速度、信頼性、経路ごとの金銭的負担等の情報）を記憶する。経路コスト算出手段４２は、メモリ４１の経路管理情報から経路コストを算出する。
【００３８】
ホームエージェント３０に、経路コスト取得手段３６が新たに設けられる。経路コスト取得手段３６は、ルータ４０の経路コスト算出手段４２から経路コストを取得し、判断手段３４に出力する。
【００３９】
このようなシステムの動作を説明する。
経路コスト取得手段３６が、中継手段３１によって中継されている移動端末１０（１）〜１０（３）を確認し、図示しないメモリに格納されている気付けアドレスを読み出す。そして、経路コスト取得手段３６が、ルータ４０の経路コスト算出手段４２に、気付けアドレスへの経路コストの情報を要求する。これにより、ルータ４０の経路コスト算出手段４２が、メモリ４１の経路管理情報を読み出す。そして、読み出した経路管理情報から、移動端末１０（１）〜１０（３）の気付けアドレスへの経路（例えば、ホームエージェントを経由する経路、経由しない経路等）それぞれの経路コストを計算し、算出した経路コストを経路コスト取得手段３６に送信する。
【００４０】
そして、経路コスト取得手段３６が、受信した経路コストを判断手段３４に出力する。判断手段３４が、各経路コストとを比較し、経路の最適化を行なわせるかを判断する。
【００４１】
さらに、要求手段３５が、判断手段３４の判断結果によって、中継手段３１を用いて通信を行なっている移動端末１０（１）〜１０（３）に経路の最適化を要求する。もちろん、経路の最適化を行なったほうが経路コストがよい場合（経路コストが低いものほど、効率のよい経路とみなせる）に経路の最適化を要求し、ホームエージェントＨＡを経由したほうが経路コストがよい場合は、経路の最適化を要求しない。上記以外の動作は、図１に示すシステムと同様なので説明を省略する。
【００４２】
このように、経路コスト算出手段４２の経路コストによって、判断手段３４が、通信経路の切り替えを判断する。そして、判断結果によって、要求手段３５が、移動端末１０（１）〜１０（３）に経路の最適化を要求し、端末１０（１）〜１０（３）、２０（１）〜２０（３）間の経路を切り替えさせるので、ホームエージェント３０は、移動端末１０（１）〜１０（３）と通信相手端末２０（１）〜２０（３）間とを中継する必要が無くなり、中継に使用されていた経路の経路コストが削減される。これにより、移動通信システム全体の性能の向上が図れ、通信効率が上昇する。さらに、通信に伴って発生するシステム全体の金銭的費用を抑えることができる。
【００４３】
また、内部資源３２に余裕がある場合でも、ホームエージェント３０への経路が混雑していると、通信要求を受け付けられない場合がある。しかし、経路コスト算出手段４２の経路コストによって、判断手段３４が、通信経路の切り替えを判断する。そして、判断結果によって、要求手段３５が、移動端末１０（１）〜１０（３）に経路の最適化を要求し、端末１０（１）〜１０（３）、２０（１）〜２０（３）間の経路を切り替えさせるので、より効率のよい経路が選択される。これにより、ホームエージェント３０が、経路の混雑によって、新たな通信開始の要求がうけられないという状態を回避することができる。従って、新たな通信開始要求に対して、待ち時間が生じる状態を減少することができ、移動通信システム全体の性能の向上が図れ、通信効率が上昇する。
【００４４】
なお、本発明はこれに限定されるものではなく、以下に示すようなものでもよい。
図１、図２に示す移動通信システムにおいて、移動端末１０（１）〜１０（３）、通信相手端末２０（１）〜２０（３）、フォーリンネットワークＦＮ１〜ＦＮ３を何台設けてもよい。
【００４５】
また、図１、図２に示す移動通信システムにおいて、移動端末１０（１）〜１０（３）同士が、ホームエージェント３０を介して通信を開始してもよい。
【００４６】
また、図２に示す移動通信システムにおいて、計測手段３３を設けず、判断手段３４が経路コスト取得手段３６からの経路コストのみで判断を行なってもよい。
【００４７】
そして、図２に示す移動通信システムにおいて、経路コスト取得手段３６が、自ネットワークＨＮ内のルータ４０から経路コストを取得する構成を示したが、他ネットワークＦＮ１〜ＦＮ３内のルータから経路コストを取得してもよい。
【図面の簡単な説明】
【００４８】
【図１】本発明の第１の実施例を示した構成図である。
【図２】本発明の第２の実施例を示した構成図である。
【図３】従来の移動通信システムの構成を示した図である。
【図４】従来の移動通信システムの構成を示した図である。
【図５】従来の移動通信システムの構成を示した図である。
【符号の説明】
【００４９】
１０（１）〜１０（３）  移動端末
１１  要求受信手段
２０（１）〜２０（３）  通信相手端末
３０  ホームエージェント
３１  中継手段
３２  内部資源
３３  計測手段
３４  判断手段
３５  要求手段
３６  経路コスト取得手段
４０  ルータ
４１  メモリ
４２  経路コスト算出手段
ＦＮ１〜ＦＮ３  フォーリンネットワーク
ＨＮ  ホームネットワーク
【図１】
2006254254.tif 000003
【図２】
2006254254.tif 000004
【図３】
2006254254.tif 000005
【図４】
2006254254.tif 000006
【図５】
2006254254.tif 000007